(57)【要約】      （修正有）【課題】水の跳ね返り、排気の騒音、および排気の逆流などを緩和できる洗濯機用排水トラップ装置、排水トラップ装置用のトラップカバー、および洗濯乾燥機を提供する。【解決手段】排水トラップ本体と、前記排水トラップ本体の下流側になる下水流路から来るガスの流入を遮る水溜トラップと、前記水溜トラップの上流側に排水を流し込む第１の流入口と、前記第１の流入口の周囲や隣合せに設けられ、前記水溜トラップの上流側に排水を流し込む第２の流入口を有する洗濯機用排水トラップ装置、排水トラップ装置用のトラップカバーまたは洗濯乾燥機において、前記第２の流入口を上側から被い、かつ周縁に第２の流入口への排水の流入を確保する着脱自在なるトラップカバーを設けたことを特徴とする。【選択図】図１
2011078474.tif 000002
【特許請求の範囲】
【請求項１】
排水トラップ本体と、前記排水トラップ本体の下流側になる下水流路から来るガスの流入を遮る水溜トラップと、前記水溜トラップの上流側に排水を流し込む第１の流入口と、前記第１の流入口の周囲や隣合せに設けられ、前記水溜トラップの上流側に排水を流し込む第２の流入口を有する洗濯機用排水トラップ装置において、
前記第２の流入口を上側から被い、かつ周縁に第２の流入口への排水の流入を確保する着脱自在なるトラップカバーを設けたことを特徴とする洗濯機用排水トラップ装置。
【請求項２】
請求項１記載の洗濯機用排水トラップ装置において、
前記トラップカバーは、前記第２の流入口を上側から被う円盤状のカバー部と、前記カバー部を前記第２の流入口の上面から上側に離間させて排水の流入を確保する支持足部を有することを特徴とする洗濯機用排水トラップ装置。
【請求項３】
請求項２記載の洗濯機用排水トラップ装置において、
前記第２の流入口は外周が円形の目皿を備え、前記目皿は前記第１の流入口を中心にして配置され、
前記カバー部の外径は、前記円形の目皿の外径と同じか大きいことを特徴とする洗濯機用排水トラップ装置。
【請求項４】
請求項２記載の洗濯機用排水トラップ装置において、
前記カバー部の裏面側に垂下する円弧形状をした複数の前記支持足部はカバー部の中心と同心的に、かつ間隔をもって配置されていることを特徴とする洗濯機用排水トラップ装置。
【請求項５】
請求項２−４の何れかに記載された洗濯機用排水トラップ装置において、
内周側を前記第１の流入口とする流入円筒を備え、
前記カバー部は、前記流入円筒の外周が嵌まる中央に設けた挿入開口と、前記挿入開口に形成した放射方向の切り込みで撓むリップを有することを特徴とする洗濯機用排水トラップ装置。
【請求項６】
請求項５記載された洗濯機用排水トラップ装置において、
前記トラップカバーは、前記リップの付け根から前記挿入開口に亘って下方に落ち込む窪みを有することを特徴とする洗濯機用排水トラップ装置。
【請求項７】
請求項６記載された洗濯機用排水トラップ装置において、
前記トラップカバーは前記カバー部の外周から前記リップの付け根にかけて下向きの傾斜を有することを特徴とする洗濯機用排水トラップ装置。
【請求項８】
請求項３記載の洗濯機用排水トラップ装置において、
前記カバー部には、前記目皿に設けられている上向きの回し突起と対向する部位に前記回し突起が収まる突起収納部を設けたことを特徴とする洗濯機用排水トラップ装置。
【請求項９】
請求項５記載の洗濯機用排水トラップ装置において、
前記トラップカバーは前記カバー部を内外周に亘る形成された当該トラップカバーを着脱するスリットを有することを特徴とする洗濯機用排水トラップ装置。
【請求項１０】
中央に設けた第１の流入口と、前記第１の流入口の周囲に設けた第２の流入口と、前記第２の流入口に備える目皿を有する排水トラップ装置に取り外し自在に装着される排水トラップ装置用のトラップカバーにあって、
トラップカバーは、前記第２の流入口を上側から被う円盤状のカバー部と、前記カバー部を前記第２の流入口の上面から上側に離間させて排水の流入を確保する支持足部を有することを特徴とする排水トラップ装置用のトラップカバー。
【請求項１１】
請求項１０に記載された排水トラップ装置用のトラップカバーにおいて、
前記トラップカバーは、中央に設けた挿入開口と、前記挿入開口に形成した放射方向の切り込みで撓むリップを有することを特徴とする排水トラップ装置用のトラップカバー。
【請求項１２】
乾燥時に内部が乾燥室となる外槽と、前記外槽内に回転自在に配置され、洗濯物を収容する回転ドラム又は内槽と、この回転ドラム又は内槽を駆動するモータと、前記回転ドラム又は内槽を支持する筐体と、前記回転ドラム又は内槽に温風を送風するための送風路、加熱手段及び送風手段を有する乾燥装置と、前記外槽から排出される水を排出する排水ホースとを備え、前記排水ホースより排出される排水、および乾燥運転での排気が排水トラップ装置に介して下水流路に流下させる洗濯乾燥機において、
前記排水トラップ装置は、中央に設けた第１の流入口と、前記第１の流入口の周囲に設けた第２の流入口と、前記第２の流入口に備える目皿と、着脱自在なるトラップカバーを有し、
前記トラップカバーは、前記第２の流入口を上側から被い、かつ周縁に第２の流入口への排水の流入を確保できるように設けられていることを特徴とする洗濯乾燥機。
【請求項１３】
請求項１２に記載された洗濯乾燥機であって、
前記トラップカバーは、前記第２の流入口を上側から被う円盤状のカバー部と、前記カバー部を前記第２の流入口の上面から上側に離間させて排水の流入を確保する支持足部を有することを特徴とする洗濯乾燥機。
【請求項１４】
請求項１３に記載された洗濯乾燥機であって、
前記第２の流入口は外周が円形の目皿を備え、前記目皿は第１の流入口を中心にして配置され、
前記カバー部の外径は、前記円形の目皿の外径と同じか大きいことを特徴とする洗濯乾燥機。
【請求項１５】
請求項１３記載の洗濯乾燥機にあって、
前記カバー部の裏面側に垂下する円弧形状をした複数の前記支持足部はカバー部の中心と同心的に、かつ間隔をもって配置されていることを特徴とする洗濯乾燥機。
【請求項１６】
請求項１３記載の洗濯乾燥機にあって、
前記排水トラップ装置は、内周側を前記第１の流入口とする流入円筒を備え、
前記カバー部は、前記流入円筒の外周が嵌まる中央に設けた挿入開口と、前記挿入開口に形成した放射方向の切り込みで撓むリップを有することを特徴とする洗濯乾燥機。
【発明の詳細な説明】
【技術分野】
【０００１】
本発明は、衣類の乾燥または洗濯から乾燥まで出来る洗濯乾燥機に用いる洗濯機用排水トラップ装置、排水トラップ装置用のトラップカバー、および洗濯乾燥機に関する。
【背景技術】
【０００２】
乾燥機又は洗濯から乾燥までを連続して行える洗濯乾燥機による衣類の乾燥は、送風ファンと熱源により高温・低湿度の乾燥空気を作り、これを洗濯槽内に吹込み、衣類の温度を高くし、衣類から水分を蒸発させ、蒸発した水分を機外へ排出することにより行う。これに関する従来技術として特許文献１−３に記載されている。
【０００３】
蒸発した水分の除去方法としては、蒸発した水分を含む空気をそのまま洗濯乾燥機外へ排出する排気乾燥方式（常に新しい空気を供給）と、蒸発した水分含む空気を冷やし結露させて水分を除去する除湿循環乾燥方式（同じ空気を循環させる）がある。また、時間短縮と使用水量や消費電力を低減するため乾燥工程の前半に空冷または水冷除湿を行い、後半に機外周囲の乾燥した外気を給気し、洗濯物に吹付けた後の温風空気をそのまま排気する併用方式がある。
【先行技術文献】
【特許文献】
【０００４】
【特許文献１】特開２００８−１０４７１５号公報
【特許文献２】特開２００８−１１０１３５号公報
【特許文献３】実開平３−１２８０９４号公報
【発明の概要】
【発明が解決しようとする課題】
【０００５】
しかしながら、洗濯物に吹付けた後の温風空気をそのまま排気する従来技術では、時間短縮と使用水量や消費電力の低減を図ることはできるが、乾燥機または洗濯乾燥機が置かれた室内に高湿な空気をそのまま排気してしまい、室内の環境を悪化させてしまう。その対応として、乾燥運転で出来る高温高湿の排気を排水トラップ装置を介して下水流路に排水と同様に流し、排気が室内に排出されないにした。
【０００６】
しかし、この下水流路に排気を排出する方式は、次のような課題がある。
【０００７】
排水トラップ装置には、下水流路から来るガスを遮る水溜トラップがある。この水溜トラップに溜まる水の水封じを破って排気が行われるので、水溜トラップに溜まる水が跳ね返って排水トラップ装置に流入口から室内側に吹き出し、室内側を汚すことがある。また、水封じを破って排気される排気音が流入口から室内側に流れ騒音になる。さらに、水封じに衝突して排気の一部が室内側に戻る逆流などの不具合がある。
【０００８】
本発明は、上記の課題に鑑み、水の跳ね返り、排気の騒音、および排気の逆流などを緩和できる洗濯機用排水トラップ装置、排水トラップ装置用のトラップカバー、および洗濯乾燥機を提供することを目的とする。
【課題を解決するための手段】
【０００９】
上記目的を達成するために本発明は、排水トラップ本体と、前記排水トラップ本体の下流側になる下水流路から来るガスの流入を遮る水溜トラップと、前記水溜トラップの上流側に排水を流し込む第１の流入口と、前記第１の流入口の周囲や隣合せに設けられ、前記水溜トラップの上流側に排水を流し込む第２の流入口を有する洗濯機用排水トラップ装置、排水トラップ装置用のトラップカバーまたは洗濯乾燥機において、前記第２の流入口を上側から被い、かつ周縁に第２の流入口への排水の流入を確保する着脱自在なるトラップカバーを設けたことを特徴とする。
【発明の効果】
【００１０】
本発明によれば、トラップカバーで第２の流入口を上側から被うことにより、水の跳ね返り、排気の騒音、および排気の逆流が抑えられて緩和される。
【図面の簡単な説明】
【００１１】
【図１】本発明の実施例に係るもので、除湿乾燥運転での洗濯乾燥機の断面図を示す。
【図２】本発明の実施例に係るもので、排気乾燥運転での洗濯乾燥機の断面図を示す。
【図３】本発明の実施例に係るもので、乾燥運転終了後の洗濯乾燥機の断面図を示す。
【図４】本発明の実施例に係るもので、排水トラップ装置の断面図を示す。
【図５】本発明の実施例に係るもので、排水トラップ装置に用いるトラップカバーを            表側から見た正面図である。
【図６】本発明の実施例に係るもので、トラップカバーを裏面側から見た正面図である。
【図７】本発明の実施例に係るもので、図６のＡ−Ａ断面図である。
【図８】本発明の実施例に係るもので、図６のＤ−Ｄ断面図である。
【図９】本発明の実施例に係るもので、トラップカバーを表側から見た斜視図である。
【図１０】本発明の実施例に係るもので、トラップカバーを裏面側から見た斜視図である。
【図１１】本発明の他の実施例に係るもので、排水トラップ装置の断面図を示す。
【発明を実施するための形態】
【００１２】
以下、本発明の実施例を図面により説明する。
【００１３】
図１−３に沿って洗濯乾燥機の概要から説明する。
【００１４】
図１−３に示すように、洗濯乾燥機の外郭はベース１の上部には鋼板と樹脂成形品で組合わされて構成された外枠２が載せられて形成される。この洗濯乾燥機は洗濯機用防水パン１００内に置かれる。外枠２の正面には洗濯物３０を出し入れするドア３と前面カバー２２及び背面には背面カバー２３が設けられている。
【００１５】
外枠２の内側には外槽２０が備えられる。外槽２０は下部の複数個のサスペンション２１により支持されている。外槽２０の内側にある回転ドラム２９にはドア３を開けて投入された洗濯物３０があり、回転ドラム２９の開口部の外周には脱水時の洗濯物３０のアンバランスによる振動を低減するための流体バランサー３１が設けられている。
【００１６】
また、回転ドラム２９の内側には洗濯物３０を掻き揚げる複数個のリフター３３が設けられている。回転ドラム２９は回転ドラム用金属製フランジ３４に連結された主軸３５を介してドラム駆動用モータ３６に直結されている。外槽２０の開口部には弾性体からなるゴム系のパッキン３８が取付けられている。
【００１７】
このパッキン３８は外槽２０内とドア３との水密性を維持する役割をしている。これにより、洗い，すすぎ及び脱水時の水漏れの防止が図られている。回転ドラム２９は、側壁に遠心脱水および通風用の多数の小孔（図示せず）を有する。外槽２０の底壁に開口した排水口３７は、排水弁８を介して排水ホース９に接続する。
【００１８】
回転ドラム２９内の洗濯物３０を乾燥させる除湿ダクト５と送風手段たるファン６１と加熱手段たるヒータ６２を含む乾燥装置６は、外槽２０から離して外枠２に固定（図示せず）されている。除湿ダクト５と通風口３２は柔軟構造のベローズ４で略水平に接続し、ヒータ６２の出口と吹出しノズル１１は外槽２０の最上面から中心までの間に且つ外槽２０の中心より前面の位置に柔軟構造のベローズ７で外槽２０に対し略垂直に接続して外槽２０の振動を吸収している。排水口３７，ファン６１の吸気口及び吐出口には温度センサ（図示せず）が設けてある。
【００１９】
このように構成したドラム式の洗濯乾燥機は、洗濯運転工程においては、回転ドラム２９内に洗濯物を投入し、排水弁８を閉じた状態で給水して外槽２０に洗濯水を溜め、回転ドラム２９を回転させて洗濯物３０を洗濯する。また、脱水運転工程においては、排水弁８を開いて外槽２０内の洗濯水を排水し、回転ドラム２９を回転させて遠心脱水する。
【００２０】
そして、乾燥運転工程前半から中盤では、排水弁８を開いた状態で回転ドラム２９を回転させると共に、ファン６１を運転して外槽２０内の空気を通風口３２から吸出して水冷除湿ダクト５内を通過させて水冷除湿した後にヒータ６２で加熱して吹出しノズル１１から回転ドラム２９内の洗濯物３０に向けて吹込む循環空気１２を生成する。
【００２１】
回転ドラム２９内で洗濯物３０から水分を奪って湿潤した循環空気１２の除湿は、冷却水弁（図示せず）を開き冷却水供給管５１から水冷除湿ダクト５内の壁面に流れ出た冷却水５２を流下させ、循環空気１２と触れさせることにより実現する。水冷除湿ダクト５内の壁面に流れ出た冷却水５２は排水口３７を通って排水ホース９により排出される。
【００２２】
乾燥運転工程後半では、図３に示すようにヒータ６２をＯＦＦにして冷却水５２を止める。そして、吸気弁１３を開くことによりベース１下部の隙間から吸込まれた外部空気１６は、外槽２０の側面を流れながら外槽２０，モータ３６，ファン６１の排熱を受けながら温められ、乾燥中盤までに外槽２０の上面と外枠２の空間に溜められた高温の筐体内部空気１５とともにファン６１へ吸込まれる。
【００２３】
吸込まれた筐体内部空気１４は洗濯物３０に吹付けられ洗濯物３０から水分を奪い、湿潤して排水口３７より排水ホース９を通り、排水トラップ装置１０の水溜トラップに出来る水封じを破って排水口４０に排出され、下水流路へと流下する。一般的な排水トラップ装置の場合、水封じ高さは５０〜８０ｍｍ程度あるため、水封じを破るには排水ホース９側の圧力は約１０００Ｐａ以上必要となる。
【００２４】
また、排水口４０から逆流するように流入して来る臭気のガスを抑えるため、水封じを破った後も高い圧力（所定以上の圧力）を確保する必要があり、排水ホースによる排気式乾燥中は、高い圧力を保つようにファン６１を制御する。
【００２５】
排水ホース９が接続される排水トラップ装置１０は洗濯機用防水パン１００に取付けられる。排水トラップ装置１０は一般的な排水トラップ装置の構造を備えている。排水トラップ装置には、排水ホース９からの排水が流れ込むとともに洗濯機用防水パン１００内をながれる水も流れ込むようになっている。詳しくは後述する。
【００２６】
乾燥運転終了後は、図３に示すように排水口４０側の圧力より排水ホース９側の圧力を高く保ちながら水封じを破らない圧力レベルまでファン６１の回転数を下げて冷却水５２を流し、排水トラップ装置１０の水溜トラップに水を溜め水封じを回復させて乾燥運転工程が終了となる。
【００２７】
このように、乾燥運転終了後に、排水ホース９側の圧力を所定以上に保ちながら排水ホースを経由して排水トラップ装置１０に水を供給することにより、排水口４０からの臭気を抑えながら排水トラップ１０の水封じを回復させることができる。
【００２８】
なお、この排水トラップ装置の水封じ回復は、排水ホース９側の圧力を高く保っていれば、乾燥運転の最後又は乾燥運転の終了後のいずれでも良い。
【００２９】
図１に示す除湿乾燥では排水ホース９から排気されないが、図２に示す排気乾燥運転では排水ホース９から排気される。しかし、外部空気１６を吸込ながら運転される排気乾燥運転では洗濯物３０の水分を奪取した高温多湿の排気は、排水ホース９、排水トラップ装置１０を経て下水流路に流されるので、室内の環境を悪化させずに消費電力を削減することが出来る。さらに、乾燥運転終了時に排水ホース９側の内圧を保ちながら排水トラップ装置１０の水封じを回復させるため排水口４０からの臭気が室内に漏れて環境を悪化させることはない。
【００３０】
乾燥運転工程は、排気乾燥運転は始から終わりまで続けたり、水冷除湿をして途中から排気乾燥運転に移行したり、排気乾燥運転をして途中から水冷除湿に移行する種々の運転がある。
【００３１】
乾燥運転工程に冷却水を使用しない場合、循環空気１２の温度が上昇して洗濯物３０の温度が上がるため余熱乾燥時に用いられる熱容量が増加して、乾燥運転工程の消費電力量をさらに削減できる。なお、冷却水を使用しない場合、空冷によって除湿ダクトや外槽２０などの内壁面が除湿部となる。
【００３２】
また、乾燥運転工程の後半のみ吸気弁を開いて洗濯物３０からの水分を排水ホース９から排出するが、乾燥運転工程の中盤に１回もしくは数回吸気弁を開いて洗濯物３０の温度が下がらないように洗濯物３０からの水分を排水ホース９から排出することにより、外槽２０内に飽和した水蒸気が排出され乾燥運転工程の後半に排出する水分が減少するため乾燥工程の消費電力量をさらに削減できる。
【００３３】
一般的な排水トラップ装置の場合、水封じ高さは５０〜８０ｍｍ程度あるため、水封じを破るには排水ホース９側の圧力は約１０００Ｐａ以上必要となる。
【００３４】
乾燥工程終了後は、排水口３９側の圧力より排水ホース９側の圧力を高く保ちながら水封じを破らない圧力レベルまでブロワ６７の回転数を下げて給水電磁弁６８より給水ホース６９を通して水を流し、排水トラップ装置１０の水封じを回復させて乾燥終了となる。
【００３５】
通常の乾燥運転である循環乾燥運転では、ヒータなどの加熱手段で乾燥用の空気を加熱しながる乾燥が行われる。それに対し、排気乾燥運転では洗濯乾燥機の筐体に溜まる余熱を利用して乾燥をするので省エネになる。
【００３６】
次に図４−図１０を加え、排水トラップ装置について説明する。
【００３７】
洗濯機用の排水トラップ装置は、図４に示すように、排水トラップ本体８０、排水トラップ本体８０内に置かれる封水椀８１、封水椀８１内に置かれる封水筒８２、封水筒８２内に置かれる流入円筒８３を有する。
【００３８】
封水が溜まる水溜トラップは、封水椀８１、封水筒８２、流入円筒８３によって構成され、図１、図３に示すように封止用の水が溜まる。この水溜トラップに溜まる封水で、下水流路から逆流するように来る臭気のガスは遮られる。これにより、室内に臭気のガスが流入するのが抑えられる。
【００３９】
排水トラップ本体８０は出口側に排水口３９を有する。排水口３９は下水流路に連通するようにつながり、洗濯機の排水は排水トラップ装置に流れ込み、排水口３９から下水流路に流下する。
【００４０】
封水椀８１は有底円筒形状をしており、外低側に設けた支持突起８４により封水椀８１は排水トラップ本体８０の底から持ち上がった状態で置かれる。流入円筒８３は下端に支持足８５を有し、この支持足８５で流入円筒８３は封水椀８１の底から持ち上がった状態で置かれ、流入円筒８３から封水椀８１へ排水が流れるようにしている。
【００４１】
上枠リング８６は排水トラップ本体８０の上開口に嵌合される。洗濯機用防水パン１００の底に取り付けた排水トラップ本体８０は上枠リング８６により洗濯機用防水パン１００に締結される。
【００４２】
固定ねじリング８７は、上枠リング８６の内周に形成したネジにねじ止めされ、封水筒８２の固定を行う。流入円筒８３の上側には、Ｌ型をした接続継手管８８が接続され、接続継手管８８の上端側に排水ホース９の流出口側である下端が着脱自在に接続される。洗濯機の排水は排水ホース９、接続継手管８８、流入円筒８３内を流れて排水トラップ装置に流れ込むのである。洗濯機用防水パン１００の底に流れ出した水は流入円筒８３の外周側と封水筒８２内に存在する流入口から排水トラップ装置に流れ込む。なお、排水ホース９を接続継手管８７に接続しない場合には、排水ホース９から排出した水は洗濯機用防水パン１００内を流れ、流入円筒８３の外周側と封水筒８２内に存在する流入口に流れる。
【００４３】
流入円筒８３内の流入口を第１の流入口とする。流入円筒８３の外周側と封水筒８２内に存在する流入口を第２の流入口とする。第２の流入口には目皿８９が設けられ、糸くずを流入を阻止している。目皿８９は固定ねじリング８７と一体に形成されているが、別体にすることも可能である。
【００４４】
第１の流入口と第２の流入口は同心的に配置され、第２の流入口は第１の流入口の周りに円形状に存在する。第２の流入口に設けた目皿８９は内外周が円形になっている。第１の流入口と第２の流入口は同心的な配置にしないで、隣合わせ配置にすることも可能である。
【００４５】
第１の流入口と第２の流入口は水溜トラップの上流側になるので、第１の流入口と第２の流入口から流れ込む排水を含む水は、水溜トラップを経由して排水トラップ装置の排水口４０から流出する。
【００４６】
さて、洗濯乾燥機の排気乾燥運転では排水ホース９からの排気は第１の流入口側から水溜トラップに溜まる水に勢い良く吹き付けられ、前述した水封じ破が行われる。このとき、大部分の水は排水口４０から排出されるが、一部の水が排気の勢いで第２の流入口を逆流するように跳ね返って室内側に吹き出す。しかし、図１−図４に示すように、第２の流入口を上側から被いようにトラップカバー２００を設けることにより、跳ね返って来る水はトラップカバー２００で受け止められ、室内側への吹き出しは抑えられる。
【００４７】
また、水封じ破の際に発生する騒音や排水トラップ装置を流れる排気流の騒音もトラップカバー２００で抑えられ、静音化が図られる。騒音は３デシベル程度低減される。
【００４８】
これに加え、排気乾燥運転に排気の一部が第２の流入口を逆流するがトラップカバー２００で抑えられ、室内側への流れ込みは抑えられる。高湿な空気の排気が室内に流れ込む環境悪化が抑制される。
【００４９】
しかも、トラップカバー２００は周縁より第２の流入口への排水の流入を確保するように設けるので、第２の流入口の排水機能は失われずに維持される。
【００５０】
次にトラップカバー２００について、図５−図１０に沿って更に詳しく説明する。
【００５１】
トラップカバー２００は合成樹脂で作られる。可撓性の合成樹脂で作るのがトラップカバー２００を着脱する際に撓み易く望ましい。
【００５２】
トラップカバー２００は、第２の流入口を上側から被う円盤状のカバー部２０１と、カバー部２０１を第２の流入口の上面から上側に離間させて排水の流入を確保する支持足部２０２を有する。カバー部２０１の外径は、円形の目皿８９の外径より大きい。目皿８９の外径と同じ大きさにすることも可能である。
【００５３】
第２の流入口の目皿８９がトラップカバー２００のカバー部２０１で上側から被われる。このため、排気乾燥運転に伴い第２の流入口で生じる（１）跳ね返り水、（２）排気流の騒音、（３）排気の逆流はカバー部２０１で抑えられる。また、支持足部２０２によりカバー部２０１が目皿８９の上面から離間するように保たれる。このため、カバー部２０１の周縁に排水が流入する開口が確保され、第２の流入口の機能は失われずに維持される。
【００５４】
複数の支持足部２０２はカバー部の裏面側に垂下する円弧形状をしている。この円弧形状をした複数の支持足部２０２は、図６、図１０に示すように、カバー部２０１の中心と同心的に、かつ間隔をもって配置されている。複数の支持足部２０２は、外周側部位と、内周側部位と、中間部位の３重配置になっている。しかも、中間部位の支持足部２０２は内外周側部位の支持足部２０２が欠けている間に配置される。
【００５５】
このような配置構成に円弧形状をした複数の支持足部２０２が設けられるので、カバー部２０１が上から押されても容易に潰れて第２の流入口の目皿８９が塞がれてしまうことは生じにくい。
【００５６】
また、この配置構成は第２の流入口の目皿８９に流れ込む排水の流れは迷路を蛇行する形態になるので、前述した（１）跳ね返り水、（２）排気流の騒音、（３）排気の逆流は蛇行する迷路により効果的に阻止される。
【００５７】
トラップカバー２００はカバー部２０１の中央に流入円筒８３の外周が嵌まる挿入開口２０３と、挿入開口２０３に形成した放射方向の切り込み２０４で撓むリップ２０５を有する。また、リップ２０５のところは、他のところよりも肉厚を薄くしている。このため、リップ２０５は撓み易さを十分備えている。
【００５８】
トラップカバー２００は接続継手管８８の先端側に挿入開口２０３を嵌め込み、流入円筒８３のところまで移動させて取り付けられる。この際にリップ２０５が撓み、嵌め込み移動が円滑に行われるので、取り付け作業が容易である。
【００５９】
また、トラップカバー２００が目皿８９を被う所定の位置にセットした際に、図４に示すように、流入円筒８３の外周に設けられている抜け止め突起２０６の下側位置にリップ２０５が係止された状態でなる。このリップ２０５の係止によって、トラップカバー２００に外力が加わっても簡単に浮き上がることがなく、トラップカバー２００の機能が維持される。
【００６０】
更に、トラップカバー２００は、リップ２０５の付け根から挿入開口２０３に亘って下方に落ち込む窪み２０７を有する。これに加え、トラップカバー２００はカバー部２０１の外周からリップ２０５の付け根にかけて下向きの傾斜を有する。このような形状の構成にしたので、カバー部２０１の上面に流れ落ちた水は中央に向かって流れ、窪み２０７に集まって切り込み２０４から目皿８９に流下する。挿入開口２０３が流入円筒８３の外周に嵌ってリップ２０５が湾曲するような撓み、切り込み２０４が拡がるので、窪み２０７に集った水は流出し残水が生じない。
【００６１】
また、カバー部２０１には、目皿８９に設けられている上向きの回し突起（図示せず）と対向する部位に回し突起が収まる突起収納部２０８を設けた。この突起収納部２０８を設けることにより、トラップカバー２００が上向きの回し突起（図示せず）に当って浮き上がることがないので、トラップカバー２００は安定した状態で取り付けられる。
【００６２】
さらに、図示されていないが、カバー部２０１の内外周に亘って延在する着脱用スリットをトラップカバー２００に設ける。そして、着脱用スリットのところを流入円筒８３の外径が入る程度に開き、この開き口から流入円筒８３に嵌め込むことにより、トラップカバー２００の着脱を容易に行うことができる。
【００６３】
次に図１１に示す他の実施例に係る排水トラップ装置について説明する。
【００６４】
図４に示す排水トラップ装置と共通するところは、共通の符合を付して説明は省略する。
【００６５】
排水トラップ本体７０は封水内筒７１と排水口７２を有する。封水内筒７１は封水筒７３の内側に置かれる。封水筒７３の内側には封水内筒７１の上端に対向するところに仕切板７４が設けられる。封水筒７３には、仕切板７４より上側のところに流出口７５が設けられる。水が溜まる水溜トラップは封水内筒７１の外周と封水筒７３の内周との間、および封水筒７３の外周と排水トラップ本体７０の内周との間に形成される。
【００６６】
この実施例の排水トラップ装置においても第１の流入口と第２の流入口が水溜トラップの上流側にある。このため、排気乾燥運転では前述した（１）跳ね返り水、（２）排気流の騒音、（３）排気の逆流は生じるが、トラップカバー２００を設けることにより、上述したように抑えることができる。
【符号の説明】
【００６７】
１…ベース
２…外枠
３…ドア
４，７…ベローズ
５…除湿ダクト
６…乾燥装置
８…排水弁
９…排水ホース
１０…排水トラップ装置
１１…吹出しノズル
１２…循環空気
１３…吸気弁
１４，１５…筐体内部空気
１６…外部空気
１７…オーバーフロー管
１８…排気ホース
２０…外槽
２１…サスペンション
２２…前面カバー
２３…背面カバー
２７…フィルタダクト
２９…回転ドラム
３０…洗濯物
３１…流体バランサー
３２…通風口
３３…リフター
３４…フランジ
３５…主軸
３６…ドラム駆動用モータ
３７，３９…排水口
３８…パッキン
４２…吸気口
５０…ヒートポンプ
５１…冷却水供給管
５２…冷却水
６１…ファン
６２…ヒータ
６７…ブロワ
６８…給水電磁弁
６９…給水ホース
８３…内周側が第１の流入口になる流入円筒
８９…第２の流入口の目皿
２００…トラップカバー
２０１…カバー部
２０２…支持足部
【図１】
2011078474.tif 000003
【図２】
2011078474.tif 000004
【図３】
2011078474.tif 000005
【図４】
2011078474.tif 000006
【図５】
2011078474.tif 000007
【図６】
2011078474.tif 000008
【図７】
2011078474.tif 000009
【図８】
2011078474.tif 000010
【図９】
2011078474.tif 000011
【図１０】
2011078474.tif 000012
【図１１】
2011078474.tif 000013